(57)【要約】      （修正有）【課題】手や足などの人体部位に安全、且つ、優れた着用感で着用することができ、長時間に亘り、暖め効果、或いは、冷却効果を持続することができる湯たんぽを提供する。【解決手段】液体を貯溜する貯液部を内部に有した湯たんぽ本体１１を、防水性及び柔軟性を有する柔軟性シート体１２で形成し、上記湯たんぽ本体１１に、手、又は、足の挿入を許容する人体挿入許容部１３を構成し、上記貯液部を、上記人体挿入許容部１３の外側に設けた湯たんぽ１０。【選択図】図１
2010252971.tif 000002
【特許請求の範囲】
【請求項１】
液体を貯溜する貯液部を内部に有した湯たんぽ本体を、防水性及び柔軟性を有する柔軟性シート体で形成し、
上記湯たんぽ本体に、手、又は、足の挿入を許容する人体挿入許容部を構成し、
上記貯液部を、上記人体挿入許容部の外側に設けた
湯たんぽ。
【請求項２】
上記人体挿入許容部を、手を挿入可能な手挿入許容部で構成し、
上記手挿入許容部に、挿入した手で握持する握持部を備えた
請求項１に記載の湯たんぽ。
【請求項３】
上記握持部を、上記手挿入許容部の内側空間に閉ループ状に配した閉ループ状握持部で形成した
請求項２に記載の湯たんぽ。
【請求項４】
上記握持部を、上記手挿入許容部の底部から内側空間へ棒状に突出した棒状握持部で形成した
請求項２、又は、３に記載の湯たんぽ。
【請求項５】
上記湯たんぽ本体に、上記貯液部に連通する開口部を形成するとともに、該開口部を閉塞する蓋を備え、
上記湯たんぽ本体を保持する湯たんぽ保持用治具を備えた
請求項１から４のいずれかに記載の湯たんぽ。
【請求項６】
上記開口部の縁部、上記蓋のうち少なくとも一方の側に、閉塞した上記開口部を通じての液漏れを防止する止液構造と、該止水構造の止液性を補強する補強用止液構造とを備えた
請求項５に記載の湯たんぽ。
【請求項７】
上記湯たんぽ本体に、該湯たんぽ本体を取り付ける取付け対象箇所に着脱可能に取付ける取付け手段を備えた
請求項１から６のいずれかに記載の湯たんぽ。
【発明の詳細な説明】
【技術分野】
【０００１】
この発明は、湯たんぽ本体内部に高温或いは低温の液体を封入し、暖め効果、或いは、冷却効果を得ることのできる湯たんぽに関し、詳しくは、例えば、手袋や靴下のように手や足に着用して暖め効果、或いは、冷却効果を得ることのできる湯たんぽに関する。
【背景技術】
【０００２】
従来より、手や足に着用して暖め効果を得ることのできる人体保温具、或いは、冷却効果を得ることのできる人体保冷具は、多数提案されている。
【０００３】
例えば、下記特許文献１の「蓄熱式加熱装置」もその１つである。  
上記「蓄熱式加熱装置」は、手に着用して暖め効果を得ることのできる手袋型をした加熱装置であり、布等で形成した手袋の内部に、蓄熱材と該蓄熱材を加熱するための電気発熱体と、蓄熱した熱が手袋の外側へ熱が放熱しないよう断熱する断熱体とを備えている。
【０００４】
電気発熱体は、「蓄熱式加熱装置」とは別に備えた電源に電気コードを介して接続可能に構成している。また、蓄熱材は、電気発熱体により加熱され、その熱を蓄熱可能な例えばポリエチレングリコールなどの物質で形成している。
【０００５】
上記「蓄熱式加熱装置」は、蓄熱材を電気発熱体により加熱して、該蓄熱材に熱を蓄わえておき、蓄熱材が蓄熱した熱で手袋に挿入した手を暖めることができる。よって、「蓄熱式加熱装置」は、使用に際して電気発熱体で発熱しながら用いるのではなく電気コードを外した状態で用いることができる。
【０００６】
しかし、上記「蓄熱式加熱装置」は、電気発熱体を内蔵した構成であるため、降雨時に着用するなどして内部に水が浸入するなどして電気発熱体が濡れるおそれがあり、この場合、蓄熱材を電気発熱体で改めて加熱する際、漏電するおそれがあり危険である。
【０００７】
或いは、このような事態にならないよう十分な防水対策を施した構成で構成する必要があり、大掛かりな構成になることや高価になるといった難点を有する。
【０００８】
さらに、蓄熱材は、冷却するに連れ徐々に固体化する特性を有するため、手袋内部における蓄熱材の設置箇所によっては、固体化した蓄熱材により手の動きが制限されるおそれがある。よって、着用感に悪影響を及ぼすことや十分に手を暖めることができないといった難点も有する。
【先行技術文献】
【特許文献】
【０００９】
【特許文献１】特開昭６３−４５７８３号公報
【発明の概要】
【発明が解決しようとする課題】
【００１０】
そこで本発明では、手や足などの人体部位に安全、且つ、優れた着用感で着用することができ、長時間に亘り、暖め効果、或いは、冷却効果を持続することができる湯たんぽの提供を目的とする。
【課題を解決するための手段】
【００１１】
本発明は、液体を貯溜する貯液部を内部に有した湯たんぽ本体を、防水性及び柔軟性を有する柔軟性シート体で形成し、上記湯たんぽ本体に、手、又は、足の挿入を許容する人体挿入許容部を構成し、上記貯液部を、上記人体挿入許容部の外側に設けた湯たんぽであることを特徴とする。
【００１２】
上記構成により、液体の優れた比熱を利用して温め効果や冷却効果を得ることができるため、外出先でも快適に用いることができる。さらに、電気による加熱装置、或いは、冷却装置を使用しないため、漏電のおそれがなく安全に着用することができ、省エネルギ化を図ることができるとともに、経済的である。
【００１３】
また、湯たんぽ本体を柔軟性シート体で形成しているため、人体挿入許容部に挿入した人体部分の形状に応じて該人体挿入許容部が柔軟に変形する。このため、挿入した人体部分が人体挿入許容部に接触しても痛くなく人体部分に適度にフィットするため、快適に着用することができる。
【００１４】
使用後は、貯液部に貯溜した液体を排出することにより、軽量、且つ、コンパクトにすることができ、容易に持ち運ぶことができる。
【００１５】
上記柔軟性シート体は、例えば、ネオプレーンゴム、クロロプレーンゴムなどのウェットスーツやドライスーツの素材となる合成ゴムで形成することができる。上記柔軟性シート体は、上記合成ゴムに限らず、止水性、柔軟性を有していれば他の柔軟性部材であってもよく、表面にナイロンなどの生地で被覆したものも含む。
【００１６】
この発明の態様として上記人体挿入許容部を、手を挿入可能な手挿入許容部で構成し、上記手挿入許容部に、挿入した手で握持する握持部を備えることができる。
【００１７】
上記構成により、手挿入許容部に挿入した手で、握持部を握持することにより、湯たんぽが手から不測に抜け落ちることを確実に防ぐことができる。また、握持部から手を離せば、手挿入許容部から手をスムーズに抜き出すことができる。
【００１８】
またこの発明の態様として上記握持部を、上記手挿入許容部の内側空間に閉ループ状に配した閉ループ状握持部で形成することができる。
【００１９】
上記構成により、閉ループ状握持部は、閉ループ状に配しているため手挿入許容部に挿入した手でしっかりと握持ことができるとともに、例えば、手首部分を傾けたりすることなく、吊革を握持するように楽な姿勢で、且つ、しっかりと握持することができる。
【００２０】
またこの発明の態様として上記握持部を、上記手挿入許容部の底部から内側空間へ棒状に突出した棒状握持部で形成することができる。
【００２１】
上記棒状握持部は、棒状に突出しているため、掌全体で握持し易く、しっかりと握ることができる。  
例えば、ゴルフクラブをスイングをする前に手を手挿入許容部に挿入して棒状握持部を握持することで、同じ棒状で形成したゴルフクラブのグリップを握持する前に手を温めるとともに該グリップを握持するグリップ感を確認することができる。その他にも釣りやテニスをする場合も、テニスのラケットや釣竿も握持部分が棒状であるため、ゴルフの場合と同様の効果を得ることができる。
【００２２】
またこの発明の態様として上記湯たんぽ本体に、上記貯液部に連通する開口部を形成するとともに、該開口部を閉塞する蓋を備え、上記湯たんぽ本体を保持する湯たんぽ保持用治具を備えることができる。
【００２３】
上記構成により、上記湯たんぽ本体を例えば、接置面に接置したとき、柔軟性シート体で形成した湯たんぽ本体が撓み変形しないよう、該湯たんぽ本体を湯たんぽ本体保持用治具により保持することができる。
【００２４】
これにより、上記開口部を通じて上記貯液部に液体を注ぎ込む際、上記貯液部に貯溜した液体が開口部を通じて溢れ出すことを防ぐことができ、また、貯液部に十分な量の液体を注ぎ込むことができる。
【００２５】
またこの発明の態様として上記開口部の縁部、上記蓋のうち少なくとも一方の側に、閉塞した上記開口部を通じての液漏れを防止する止液構造と、該止水構造の止液性を補強する補強用止液構造とを備えることができる。
【００２６】
上記構成により、外出時に例えば、携帯したり、手袋のように着用した際に湯たんぽ本体に負荷が加わっても、上記開口部を通じて液漏れするおそれがないため、外出先でも安心して用いることができる。
【００２７】
またこの発明の態様として上記湯たんぽ本体に、該湯たんぽ本体を取り付ける取付け対象箇所に着脱可能に取付ける取付け手段を備えることができる。
【００２８】
例えば、取付け手段を衣服に取り付ければ、湯たんぽを手で把持して持ち運ぶ必要がないため、携帯し易くなる。さらに、必要に応じてポケットに手を挿入するような感覚で手挿入許容部に手を挿入して手軽に温める、或いは、冷やすことができる。  
上記取付け対象箇所は、腰部など人体の所定部分に限らず、壁などに係止可能な係止部材であってもよい。
【発明の効果】
【００２９】
本発明では、手や足などの人体部位に安全、且つ、優れた着用感で着用することができ、長時間に亘り、暖め効果、或いは、冷却効果を持続することができる湯たんぽを提供することができる。
【図面の簡単な説明】
【００３０】
【図１】第１実施形態の湯たんぽの外観図。
【図２】図１のＡ−Ａ線断面図。
【図３】図１のＢ−Ｂ線断面図。
【図４】第２実施形態の湯たんぽを断面で示した構成説明図。
【図５】他の握持部を備えた実施形態に係る湯たんぽの一部を断面で示した構成説明図。
【図６】第３実施形態の湯たんぽの使用状態を説明する説明図。
【図７】第３実施形態の他の湯たんぽの使用状態を説明する説明図。
【図８】第４実施形態の湯たんぽの使用状態を説明する説明図。
【図９】第４実施形態の湯たんぽを断面で示した構成説明図。
【図１０】第５実施形態の湯たんぽを断面で示した構成説明図。
【図１１】第６実施形態の湯たんぽを断面で示した構成説明図。
【図１２】第７実施形態の他の湯たんぽを断面で示した構成説明図。
【図１３】第８実施形態の湯たんぽの構成説明図。
【図１４】第９実施形態の湯たんぽの構成説明図。
【図１５】第１０実施形態の他の湯たんぽの構成説明図。
【図１６】第１１実施形態の湯たんぽを断面で示した構成説明図。
【発明を実施するための形態】
【００３１】
この発明の一実施形態を、以下図面を用いて説明する。  
（第１実施形態）  
第１実施形態における湯たんぽ１０は、図１から図３に示すように構成している。  
なお、図１は、第１実施形態における湯たんぽ１０の外観図であり、図２は、図１のＡ−Ａ線矢視縦断面図であり、図３は、図１のＢ−Ｂ線矢視縦断面図である。
【００３２】
湯たんぽ１０は、平面視楕円形状の有底円筒状に形成した湯たんぽ本体１１と止水栓構造２８とで構成している。
【００３３】
上記湯たんぽ本体１１は、防水性、熱伝導性、及び、柔軟性を有する柔軟性シート体１２で形成している。上記湯たんぽ本体１１には、手の挿入を許容する空間として手挿入許容部１３を構成し、該湯たんぽ本体１１の内部であって、上記手挿入許容部１３の外側には、液体を貯溜する貯水部１４を設けている。
【００３４】
柔軟性シート体１２は、合成ゴムと、該合成ゴムの少なくとも一面側にナイロンシートをラミネートしたウエットスーツ素材で形成し、湯たんぽ本体１１の外側に配する有底円筒状の外側有底円筒状シート体１５ｏと、湯たんぽ本体１１の内側に配する有底円筒状の内側有底円筒状シート体１５ｉと、図２中、湯たんぽ本体１１の上面に配する環状の環状シート体１５ａとを備えている。
【００３５】
上記湯たんぽ本体１１は、外側有底円筒状シート体１５ｏと、内側有底略円筒状シート体１５ｉとを、上記湯たんぽ本体１１の外側と内側のそれぞれに配し、外側有底円筒状シート体１５ｏと内側有底円筒状シート体１５ｉとの各上端部間を環状シート体１５ａで覆うように配している。
【００３６】
さらに、それぞれの境界部分を縫着することにより止水性を確保して一体に形成している。
【００３７】
有底円筒状の湯たんぽ本体１１の外側底面部分２７の中心部分には、開口部１６を形成し、該開口部１６の周縁部（開口縁部１６Ａ）に、上記止水栓構造２８を構成している。
【００３８】
上記止水栓構造２８は、開口縁部１６Ａに固着され、耐熱性樹脂で円筒状に形成した蓋取付け部材１８と該蓋取付け部材１８に着脱可能な蓋１７とで構成している。  
蓋取付け部材１８の内部空間は、貯水部１４と外側とを開口部１６を通じて連通している。
【００３９】
蓋取付け部材１８は、長さ方向の一方の端部側へ形成したフランジ部１８ａを開口縁部１６Ａに固着することにより、湯たんぽ本体１１に対して外側へ突出した形状で取り付いている。蓋取付け部材１８の外周部には、蓋１７と螺合可能な本体側螺子部２１を形成している。
【００４０】
蓋１７は、内底面にパッキン１５が取り付けられた蓋本体部２２と、蓋取付け部材１８側に取り付け可能な円筒状の円筒状取付け部２３とで形成している。円筒状取付け部２３の内周部には、本体側螺子部２１と螺合可能な蓋側螺子部２６を形成し、蓋１７を、蓋取付け部材１８に対して螺合可能に形成している。
【００４１】
また、湯たんぽ１０には、湯たんぽ本体１１の内側底面部分２４、換言すると、手挿入許容部１３の最深部分に握持部として閉ループ状に配した閉ループ状握持部１９を備えている。
【００４２】
閉ループ状握持部１９は、柔軟な紐状体により形成し、該紐状体の長さ方向の両側部分を湯たんぽ本体１１の内側底面部分２４に固着することにより形成している。
【００４３】
上述した第１実施形態の湯たんぽ１０は、以下のような様々な作用、効果を奏することができる。  
上記湯たんぽ１０は、手挿入許容部１３の上方を除く外周全体に貯水部１４を備えた構成であるため、手を手挿入許容部１３に挿入すれば、手の挿入部分を、外周全体から効率的に暖めることができる。  
なお、手を手挿入許容部１３に挿入したとき、腕の手首から肘の間部分まで挿入することができる。
【００４４】
さらに、湯たんぽ１０は、例えば、従来の湯たんぽのように一方の手で把持し、暖めたい部分に押し当てて暖める必要がなく、手を手挿入許容部１３に挿入するだけでよいため、外出先でも手軽に用いることができる。
【００４５】
また、湯たんぽ１０は、湯を熱源として用い、ヒータなど電気により加熱する加熱装置を有しない構成であるため、漏電のおそれがなく外出先でも安全に着用することができる。湯（水）は、一般に優れた比熱（４．２  ｋＪ／ｋｇ・Ｋ）を有するため、一度、暖めると冷め難く、長時間に亘って持続することができ、省エネルギ化を図ることができるとともに、経済的である。
【００４６】
また、湯たんぽ１０は、湯たんぽ本体１１を柔軟性シート体１２で形成しているため、該湯たんぽ本体１１は、挿入した手の形状に応じて柔軟に変形する。よって、手を手挿入許容部１３に対してスムーズに抜き差しすることができる。さらに、手を手挿入許容部１３に挿入した状態において、湯たんぽ本体１１は、手に適度にフィットするため、湯たんぽ本体１１と手の間に隙間が生じ難くなる。
【００４７】
よって、貯水部１４からの熱を効果的に手に伝えることができるとともに、外気が手挿入許容部１３に入り込まないため、優れた暖め効果を得ることができる。
【００４８】
湯たんぽ１０の使用後は、蓋１７を取り外し、開口部１６を通じて貯水部１４に貯溜した湯を排出することにより、軽量化することができる。さらに、湯たんぽ本体１１は、柔軟であるため、貯水部１４の湯を開口部１６を通じて排出することで、有底円筒状の湯たんぽ本体１１を収縮変形させて、コンパクトにすることができ、外出先においても容易に持ち運ぶことができる。
【００４９】
また、手挿入許容部１３に挿入した手で、閉ループ状握持部１９を握持することにより、湯たんぽ１０が手から不測に抜け落ちることを確実に防ぐことができる。このため、歩行時に腕を前後に振るなどしても抜け落ちることがないため、手を暖めながら歩行することもできる。
【００５０】
閉ループ状握持部１９は、閉ループ状に配しているため、例えば、手挿入許容部１３に挿入した手首部分を傾けたりすることなく、吊革を握持するように楽な姿勢で、且つ、しっかりと握持することができる。
【００５１】
以下では、他の実施形態における湯たんぽ２０，３０，３０Ａ，４０，５０，６０，６０Ａ，７０について説明する。  
但し、以下で説明する湯たんぽ２０，３０，３０Ａ，４０，５０，６０，６０Ａ，７０の構成のうち、上述した第１実施形態における湯たんぽ１０と同様の構成については、同一の符号を付して、その説明を省略する。
【００５２】
（第２実施形態）  
第２実施形態における湯たんぽ２０は、図４に示すように握持部を、閉ループ状握持部１９ではなく、上記湯たんぽ本体１１の内側底面部分２４に、手挿入許容部１３へ棒状に突出した棒状握持部２９で形成している。
【００５３】
詳しくは、棒状握持部２９は、手挿入許容部１３に挿入した手で握持可能に円柱状の棒体で構成している。該棒状握持部２９の長手方向の一端側には、鍔状のフランジ部２９ａを形成し、該フランジ部２９ａを湯たんぽ本体１１の内側底面の中央部分に固着することにより手挿入許容部１３の奥行き方向に真直ぐに突出するよう一体に形成している。
【００５４】
上記構成の湯たんぽ２０は、上述した棒状握持部２９を備えることにより、以下のような作用、効果を得ることができる。  
棒状握持部２９は、棒状に突出しているため、手挿入許容部１３に挿入した手の掌全体で握持することができるため、しっかりと握ることができる。  
さらに、棒状握持部２９の長手方向のいずれの部分を把持するかによって、手を手挿入許容部１３に挿入する深さを調節することができる。
【００５５】
例えば、棒状握持部２９の長手方向の先端部分を把持すれば、手を挿入する深さが浅い状態に保つことができ、腕の部分を除いた手の部分のみを暖めることができる。このように、腕全体を暖める場合に限らず、周囲の気温や、用途によって暖める度合いを任意に調節することができる。
【００５６】
さらにまた、図示しないが湯たんぽ２０に変更を加えた一実施例として、棒状握持部２９をゴルフクラブのグリップ部と同様の太さ、材質、形状で構成してもよい。
【００５７】
この構成の場合、ゴルフをする際、ゴルフクラブのグリップを握持する前に手を手挿入許容部１３に挿入して棒状握持部２９を握持することで、手を暖めるとともにゴルフクラブを握るグリップ感を確認することができる。  
その他にも棒状握持部２９を、テニスのラケットのグリップを握持したときと同じグリップ感が得られるよう構成することもできる。  
この構成の場合、テニスをする際、テニスクラブのグリップを握持する前に手を手挿入許容部１３に挿入して棒状握持部２９を握持することで、手を暖めるとともにテニスクラブを握るグリップ感を確認することができる。  
さらに、図示しないが、湯たんぽは、ゴルフクラブやテニスクラブのグリップ部を外側底面部分２７から挿入可能に、貯水部１４の内側底面部分２４と外側底面部分２７の間を連通する連通孔を形成してもよい。
【００５８】
なお、上記構成の場合、湯たんぽの内側底面部分２４には、握持部を備えず、また、開口部１６は、外側底面部分２７ではなく、例えば、湯たんぽ本体１１の外周面に形成している。
【００５９】
上記構成によれば、ゴルフクラブやテニスクラブのグリップ部を連通孔に外側から挿入し、ゴルフクラブやテニスクラブのグリップ部が内側底面部分２４から手挿入許容部１３に突出するようにしてゴルフクラブやテニスクラブを取り付けることができる。
【００６０】
これにより、手を手挿入許容部１３に差込んだ状態でゴルフクラブやテニスクラブのグリップ部を握持し、スイングすることができる。
【００６１】
さらに例えば、釣りをする際には、釣竿のグリップ部を連通孔に挿入して取り付ければ、手を手挿入許容部１３に差込んだ状態で釣竿のグリップ部を握持できるため、手を暖めながら釣りをすることができる。  
このように、湯たんぽ１０は、ゴルフやテニスに限らず、その他にも様々なスポーツ、趣味、娯楽で用いることができる。
【００６２】
また、上記握持部は、上述した形態に限らず、様々な形態で構成することができる。  
例えば、握持部２９Ａは、図５（ａ）に示すように、長さ方向の両端部にフランジ部を形成した円柱体を手挿入許容部１３を横架するよう配するとともに、上記フランジ部３２を湯たんぽ本体１１の内周面に固着した形態で構成することができる。
【００６３】
上記構成の握持部２９Ａは、剛体である円柱体を手挿入許容部１３を横架するよう配しているため、握持し易く、しっかりと握持することができる。
【００６４】
さらに、貯水部１４に水を入れた状態で、手挿入許容部１３に挿入した手で握持部２９Ａを握持し、湯たんぽ本体１１を持ち上げるなどすれば、湯たんぽをダンベルのように運動器具として用いることができる。
【００６５】
また、図５（ｂ）に示すように、握持部２９Ｂは、図５（ａ）に示した握持部２９Ａと同様に、手挿入許容部１３を横架するよう配するとともに、該握持部２９Ｂには、貯水部１４と連通する内部空間を有した形態で形成している。
【００６６】
上記構成により、握持部２９Ｂの内部にも湯が充填されているため、握持部２９Ｂを握持することにより、該握持部２９Ｂを握持した掌部分もしっかりと暖めることができる。
【００６７】
さらにまた、図５（ｃ）に示すように、握持部２９Ｃは、手挿入許容部１３に挿入した手で握持可能な円環状紐部材３３と、該円環状紐部材３３と湯たんぽ本体１１の内側底面部分２４とを連結する連結紐３４とで構成した円環状握持部３３として構成してもよい。
【００６８】
連結紐３４は、円環状紐部材３３の周方向の一端側と湯たんぽ本体１１の内側底面部分２４の中心部とを連結し、円環状紐部材３３が湯たんぽ本体１１の中心軸回りを回動自在に構成している（図５（ｃ）の矢印参照）。
【００６９】
このように、握持部２９Ｃは、握持部分となる円環状紐部材３３が回動自在であるため、手挿入許容部１３に挿入した手の向きに関らず、容易に円環状紐部材３３を握持することができる。
【００７０】
その他にも、握持部は、図示しないが連結紐３４のかわりにユニバーサルジョイントやヒンジ等を用いて円環状握持部３３など握持部分の向きを可変可能に構成してもよい。また、握持部は、円環状握持部３３を備えずに、単に紐などの長尺状部材の長さ方向の一方の端部を湯たんぽ本体１１の内側底面部分２４に取り付け、該長尺状部材自体を握持する構成であってもよい。
【００７１】
（第３実施形態）  
第３実施形態における湯たんぽ３０は、図６に示すように、湯たんぽ本体１１の貯水部１４に開口部１６を通じて湯を注ぎ込む際に、該湯たんぽ本体１１を保持するための湯たんぽ保持用治具として湯たんぽ係止治具３５を、第１実施形態の湯たんぽ１０に備えた構成である。  
なお、湯たんぽは、第２実施形態の湯たんぽ２０など他の湯たんぽに湯たんぽ係止治具３５を備えた構成であってもよい。
【００７２】
上記湯たんぽ係止治具３５は、係止部３６と把持部３７とで構成している。係止部３６は、一対の係止片３６ａ，３６ａを備え、該一対の係止片３６ａ，３６ａのそれぞれは、蓋取付け部材１８の外径よりも一回り大きな間隔を有して係止部３６の基端部３６ｂから突出している。
【００７３】
湯たんぽ本体１１の貯水部１４に開口部１６を通じて湯を注ぎ込む際には、蓋１７を外して開口部１６を開口させ、開口部１６が上方を向くよう平坦な接置面に接置して行なう。
【００７４】
ところが、湯たんぽ本体１１は、柔軟性シート体１２で柔軟に形成しているため、通常であれば、湯たんぽ本体１１の自重や注ぎ込んだ湯の重みにより湯たんぽ本体１１が撓み変形し、貯水部１４の内部空間が潰されるため注ぎ込んだ湯が溢れ出たり、注ぎ込み時に開口部１６が不測に動き、適切に湯を注ぎ込むことができない。
【００７５】
そこで、湯たんぽ３０は、上記湯たんぽ係止治具３５を備えているため、湯たんぽ本体１１の貯水部１４に開口部１６を通じて湯を注ぎ込む際には、図６に示すように、湯たんぽ本体１１を上記湯たんぽ係止治具３５で保持する。
【００７６】
詳しくは、蓋１７を外した状態で該蓋取付け部材１８の両側に一対の係止片３６ａ，３６ａのそれぞれを配し、一対の係止片３６ａ，３６ａを蓋取付け部材１８の例えば、本体側螺子部２１よりも下側部分に係止する。これにより、一対の係止片３６ａ，３６ａにより蓋取付け部材１８の両側から挟み込むようにして湯たんぽ本体１１を保持することができる。
【００７７】
よって、湯たんぽ係止治具３５を持ち上げることで、湯たんぽ本体１１を湯たんぽ係止治具３５に吊り下げた状態で保持することができる。
【００７８】
この状態であれば、湯たんぽ本体１１が撓み変形しないよう、有底円筒状に保つことができるため、図６に示すように、開口部１６を通じて貯水部１４に湯を注ぎ込むことができる。
【００７９】
さらに、湯たんぽ係止治具３５を用いて貯水部１４に湯を注ぎ込むことにより万一にも湯が開口部１６から零れても湯が手にかかることがないため、火傷のおそれがなく安全に、湯を注ぎ込むことができる。
【００８０】
湯を貯水部１４に注ぎ込んだ後は、湯たんぽ係止治具３５を蓋取付け部材１８に係止した状態のまま、蓋１７を取り付けて開口部１６を閉塞することができる。
【００８１】
湯たんぽ係止治具３５は、簡素でコンパクトな治具であるため、持ち運びが容易であり、屋内に限らず、屋外で湯を入れる際にも用いることができる。
【００８２】
なお、湯たんぽ係止治具３５は、適宜、湯たんぽ本体１１の外周面などに取り付け可能に構成してもよい。さらに、湯たんぽ保持用治具は、上述した湯たんぽ係止治具３５に限らず、ピンセットのように蓋取付け部材１８を挟み込んで係止可能なグリッパ型であってもよい。
【００８３】
さらにまた、湯たんぽ保持用治具は、他の実施形態で構成することができる。  
例えば、図７に示すように、湯たんぽ３０Ａは、第１実施形態における湯たんぽ１０に湯たんぽ保持用治具３５Ａを備えて構成してもよい。湯たんぽ保持用治具３５Ａは、手挿入許容部１３に挿入して湯たんぽ３０を装着可能な湯たんぽ装着部４２と、接置面に接置可能な支持台４３と、湯たんぽ装着部４２と支持台４３との間を連結する支柱４４とで構成することができる。
【００８４】
この構成の湯たんぽ保持用治具３５Ａは、湯たんぽ３０を、手挿入許容部１３の開口方向を下方へ向けた状態で湯たんぽ装着部４２に上方から被せるだけで湯たんぽ１０の手挿入許容部１３に湯たんぽ装着部４２が挿入された状態となり、湯たんぽ１０を装着することができる。
【００８５】
これにより、湯たんぽ本体１１が撓み変形しないよう、有底円筒状に保形することができるため、図７に示すように、開口部１６を通じて貯水部１４に湯を注ぎ込むことができる。
【００８６】
（第４実施形態）  
第４実施形態における湯たんぽ４０は、図８、図９に示すように、上記湯たんぽ本体１１に、該湯たんぽ本体１１を人体側に着脱可能に取付ける湯たんぽ取付け部材４５を備えている。  
なお、図８は、湯たんぽ４０を腰部に装着した様子を示す外観図であり、図９は、湯たんぽ４０と腰部の一部分を断面で模式的に示した説明図である。
【００８７】
湯たんぽ取付け部材４５は、帯状布帛４６と面ファスナ４７で形成している。帯状布帛４６は、腰に装着したベルトＢ周りに上下方向に折り返して配し、該ベルトＢに係止可能な長さを有した長尺状、且つ、帯状の布帛で形成している。上記帯状布帛４６の長さ方向の一端側を湯たんぽ本体１１に固着している。
【００８８】
上記面ファスナ４７は、互いに係脱可能なループ状面ファスナ４７ａと鍵状面ファスナ４７ｂとの一対を備えて構成し、図９の一部拡大図に示すように、ループ状面ファスナ４７ａは、帯状布帛４６の基端側に縫着し、鍵状面ファスナ４７ｂは、帯状布帛４６の先端側に縫着している。
【００８９】
ループ状面ファスナ４７ａは、帯状布帛４６の先端側部分において所定長さを有して、鍵状面ファスナ４７ｂを長さ方向の任意の位置で係止可能に縫着している。
【００９０】
上記構成により、湯たんぽ４０を手挿入許容部１３が上方へ開口した状態になるよう帯状布帛４６をベルトＢに係止し、ループ状面ファスナ４７ａと鍵状面ファスナ４７ｂとを係合することで湯たんぽ取付け部材４５により腰に取り付けることができる。
【００９１】
これにより、湯たんぽ４０を手で把持して持ち運ぶ必要がないため、携帯し易くなる。さらに、必要に応じて手を手挿入許容部１３に挿入すれば、図８に示すように、使用者は、ポケットに手を挿入するような感覚で手軽に手を暖めることができる。
【００９２】
ループ状面ファスナ４７ａは、所定長さを有して縫着しているため、鍵状面ファスナ４７ｂをループ状面ファスナ４７ａの長さ方向のいずれの位置に係止するかに応じて、腰部に対する湯たんぽ４０の位置を、手挿入許容部１３に手を挿入し易い高さになるよう調節することができる。
【００９３】
さらにまた、ゴルフをする場合、ゴルフボールを手挿入許容部１３に収納し、暖めておくことができる。一般に、ゴルフボールは、暖めることで弾性力が向上し、約３０〜６０℃程度が最も飛距離がでることが実証されている。
【００９４】
そこで、ゴルフをする場合、湯たんぽ４０を用いてゴルフボールを暖めることで飛距離の向上を図ることができる。  
なお、ラウンド前に人為的に暖められたボールをしようすることはルール上、違反にならず問題のない行為である。
【００９５】
湯たんぽは、上述したようなパッキン１５、及び、蓋１７の螺合による止水構造に加えて、該止水構造の止水性能を補強する様々な補強用止水構造を備えることができる。以下では、補強用止水構造を備えた実施形態５から９の湯たんぽについて説明する。
【００９６】
（第５実施形態）  
第５実施形態における湯たんぽ５０は、図１０（ａ），（ｂ），（ｃ）に示すようにな補強用止水構造４８を備えている。  
なお、図１０（ａ）は、補強用止水構造４８の構成を一部破断断面で示した断面図を示し、図１０（ｂ）は、蓋１７を取り付ける直前の状態の湯たんぽ５０における補強用止水構造４８を一部破断して示した断面図を示し、図１０（ｃ）は、図１０（ｂ）のＡ−Ａ線断面図を示す。
【００９７】
上記湯たんぽ５０は、蓋本体部２２の下部に備えた円筒状パッキン５２と、湯たんぽ本体１１の貯水部１４の内部に備えたパッキンガイド部５３とで、開口部１６の上下方向２箇所で止水する２重の止水構造を構成している。
【００９８】
円筒状パッキン５２は、ゴムやシリコンなどの弾性体で形成し、蓋本体部２２の内側底面に一体に嵌合され、蓋１７の取り付けの際に開口部１６に挿入可能な径を有した円筒状に形成している。
【００９９】
円筒状パッキン５２は、円筒状の上端部に備えた上端止水部５４と、円筒状の下端部に備えた下端止水部５５とで形成している。上端止水部５４は、止水構造として構成し、下端止水部５５とパッキンガイド部５３は、補強用止水構造４８として構成している。
【０１００】
上端止水部５４は、上述したパッキン１５と同様に蓋取付け部材１８と蓋１７との間を止水可能に円筒状の上端部に鍔状に突出した形態で形成している。
【０１０１】
下端止水部５５は、円筒状の下端部に吸盤状に形成している。換言すると、下端外周部分を末広がり状に形成している。
【０１０２】
上記パッキンガイド部５３は、図１０（ｃ）に示したように、湯たんぽ本体１１の貯水部１４の内部の開口縁部１６Ａ付近に、開口部１６を平面視４等分配するよう配設している。パッキンガイド部５３は、開口縁部１６Ａとの間に僅かな間隙が構成されるよう該開口縁部１６Ａへ向けて突状に形成している。パッキンガイド部５３は、保持用ブラケット５６によって湯たんぽ本体１１に一体に保持されている。
【０１０３】
上記構成の湯たんぽ５０は、以下のような作用、効果を得ることができる。  
蓋１７を蓋取付け部材１８に取り付ける際には、図１０（ｂ）に示したように、円筒状パッキン５２を下端止水部５５ごと蓋取付け部材１８の開口部１６内に差込み、蓋１７を回転させながら蓋取付け部材１８に螺合により取り付ける。
【０１０４】
やがて下端止水部５５は、パッキンガイド部５３に当接する。これにより、下端止水部５５は、パッキンガイド部５３から受ける反作用力により径外方向へ押し広げられるという楔効果により、貯水部１４の開口縁部１６Ａに当接する。
【０１０５】
これにより、蓋１７を蓋取付け部材１８に完全に取り付けた状態において、蓋取付け部材１８の下部においても開口部１６を、下端止水部５５により止水することができる。さらに、蓋１７と蓋取付け部材１８との間についても、上端止水部５４により上述したパッキン１５と同様に止水することができる。
【０１０６】
湯たんぽ５０は、このように上端止水部５４と下端止水部５５（補強用止水構造４８）との２重の止水構造を有するため、柔軟な湯たんぽ本体１１に外力が加わるなどして圧縮するなどしても、水圧で下端止水部５５が広がり、止水効果が高まるため、水漏れのおそれがなく安心して使用することができる。
【０１０７】
（第６実施形態）  
第６実施形態における湯たんぽ６０は、図１１（ａ），（ｂ），（ｃ）に示すような補強用止水構造５７を備えている。  
上記補強用止水構造５７は、蓋取付け部材１８の内部に挿入された状態で、上下方向に可動する可動止水部材５８（環状パッキン６７）を備えている。
【０１０８】
可動止水部材５８は、下部に上面中央が滑らかな曲面状に突出した鍔状の鍔状パッキン６２と、該鍔状パッキン６２の上面中心部から上方へ棒状に突出するよう立設したパッキン保持杆６３とで構成している。
【０１０９】
パッキン保持杆６３は、上部に蓋１７と螺合可能な保持杆側螺子部６８を形成するとともに、該保持杆側螺子部６８の下側には、周方向の所定の両側部分から径外方向へ突出し、後述する保持片６４により下側から支持される被保持片７２を形成している。  
被保持片７２には、上下方向に貫通した貫通孔７３を形成している。
【０１１０】
貯水部１４の内部における開口縁部１６Ａには、可動止水部材５８の被保持片７２を保持する保持片６４を、開口部１６に備えた可動止水部材５８へ向けて該開口部１６の径内方向へ突出して形成している。  
上記保持片６４には、被保持片７２の貫通孔７３に挿通され、可動止水部材５８の回動を規制する回動規制突部７４を上方へ突状に形成している。  
さらに、貯水部１４の内部における開口縁部１６Ａには、止水突起部６５を下方へ突出して形成している。
【０１１１】
蓋１７は、蓋本体部２２の円筒状取付け部２３より内側に円筒状の内側円筒状取付け部３８を形成し、該内側円筒状取付け部３８の内周側には、パッキン保持杆６３と螺合可能な第二蓋側螺子部６６を形成している。また、蓋本体部２２の内側底面の内側円筒状取付け部３８と円筒状取付け部２３との間には、止水構造としての環状パッキン６７を嵌合している。
【０１１２】
上記構成の湯たんぽ６０は、以下のような作用、効果を得ることができる。  
蓋１７を取り付ける際に、本体側螺子部２１と蓋側螺子部２６とを螺合するとともに、第二本体側螺子部２１と保持杆側螺子部６８とを螺合する。  
このとき、可動止水部材５８は、回動規制突部７４が被保持片７２の貫通孔７３の周縁部に係止されるため、回動規制され、蓋１７を回動することによる共回りを防ぐことができる。
【０１１３】
よって、保持杆側螺子部６８と第二蓋側螺子部６６とを螺合するにつれ、可動止水部材５８は、上方へ移動し、やがて鍔状パッキン６２が止水突起部６５に当接する。
【０１１４】
蓋１７を蓋取付け部材１８に完全に取り付けた状態において、蓋取付け部材１８の内側下部においても開口部１６は、鍔状パッキン６２により止水することができる。さらに、蓋１７と蓋取付け部材１８との間についても、環状パッキン６７により止水することができる。
【０１１５】
湯たんぽ６０は、このように止水構造としての環状パッキン６７と補強用止水構造５７としての鍔状パッキン６２との２重の止水構造を有するため、柔軟な湯たんぽ本体１１に外力が加わるなどして圧縮するなどしても、水圧で鍔状パッキン６２が止水突起部６５にしっかりと押し当たり止水効果が高まるため、水漏れのおそれがなく安心して使用することができる。
【０１１６】
なお、湯たんぽ６０は、図示しないが、保持片６４と鍔状パッキン６２との間には、バネなどの付勢手段を備えてもよい。  
上記付勢手段により、鍔状パッキン６２が下方へ付勢されるため、蓋を外す際に、止水突起部６５から鍔状パッキン６２を容易に分離することができる。
【０１１７】
（第７実施形態）  
第７実施形態の湯たんぽ６０Ａは、図１２に示すような補強用止水構造８２，８３を備えて構成することができる。湯たんぽ６０Ａに備えた蓋１７は、蓋本体部２２の円筒状取付け部２３より内側に円筒状の内側円筒状取付け部３９を形成し、該内側円筒状取付け部３９の外周側には、蓋取付け部材１８と螺合可能な第二蓋側螺子部８２を形成している。また、蓋本体部２２の内側底面の内側円筒状取付け部３９と円筒状取付け部２３との間には、環状パッキン６７を嵌合している。
【０１１８】
一方、蓋取付け部材１８の内周側には、第二蓋側螺子部８２と螺合可能な第二本体側螺子部８３を形成している。
【０１１９】
上記構成により、第二蓋側螺子部８２と第二本体側螺子部８３は、補強用止水構造として機能させることができる。すなわち、蓋１７を蓋取付け部材１８に取り付ける際には、本体側螺子部２１と蓋側螺子部２６とを螺合するとともに、第二本体側螺子部８３と第二蓋側螺子部８２とを螺合することにより、このような２箇所の螺子部により蓋１７を蓋取付け部材１８に対して、より強固に締結することができる。
【０１２０】
従って、蓋１７が緩み難くなり、また、優れた締結力により蓋１７と蓋取付け部材１８の上端部とで環状パッキン６７を圧接することができるため、止水性を向上させることができる。
【０１２１】
なお、図示しないが、蓋取付け部材１８、円筒状取付け部２３、及び、内側円筒状取付け部３９のうちいずれかの対向面を傾斜面で構成し、楔効果によって螺合強度を向上させる構成であってもよい。  
（第８実施形態）  
第８実施形態の湯たんぽ１００Ａは、図１３に示すような補強用止水構造１０１Ａを備えて構成することができる。蓋１７は、止水構造として環状パッキン６７の他に、蓋本体部２２の裏面の中央部分に固着した弾力性、変形性及び止水性の高いゴム製の補強用止水構造としての中栓部１０１Ａで形成している。
【０１２２】
なお、中栓部１０１Ａは、蓋本体部２２の裏面に対して逆円錐台をした突状に形成し、外周部をテーパ状に形成している。環状パッキン６７は、蓋本体部２２の裏面における中栓部１０１Ａの外周側に備えている。
【０１２３】
また、蓋１７を蓋取付け部材１８に取り付けることにより、中栓部３３は開口部１６に挿入され、図１３（ｂ）に示すように、蓋取付け部材１８の内周面に沿って変形して密着し、蓋取付け部材１８の開口部１６を略密閉状態で封止する。これにより、湯たんぽ１００Ａの液漏れ防止性能を向上させ、湯たんぽ本体１１に封入した液体の液漏れを確実に防止することができる。
【０１２４】
従って、第８実施形態の湯たんぽ１００は、環状パッキン６７の底面との密着による液漏れ防止効果と、開口部１６を略密閉状態で封止する中栓部１０１Ａによる液漏れ防止効果との二重の液漏れ防止効果によって、互いに液漏れ防止機能を相互に補強し合い、湯たんぽ本体１１に封入した液体の液漏れを確実に防止することができる。
【０１２５】
なお、図示しないが、円筒状をした蓋取付け部材１８の内周面を上方へ向けて縮径する傾斜面で構成し、該蓋取付け部材１８に上端部から下方へ逆三角状の切り欠いた切り欠き部を備えてもよい。  
この構成の場合、蓋１７を蓋取付け部材１８に取り付けることにより、傾斜面で構成した蓋取付け部材１８の楔効果により、切り欠き部を有した蓋取付け部材１８を径内方向へ倒れ込むよう変形させることができる。
【０１２６】
これにより、蓋取付け部材１８と開口部１６に挿入された中栓部１０１Ａとの密着性が向上し、湯たんぽ本体に封入した液体の液漏れをさらに確実に防止することができる。
【０１２７】
（第９実施形態）  
第９実施形態の湯たんぽ１００Ｂは、図１４に示すような補強用止水構造（１０１Ｂ）を備えて構成することができる。詳しくは、湯たんぽ１００Ｂは、パッキン１５の他に、蓋１７の内側に、補強用止水構造として内キャップ１０１Ｂを備えて構成することができる。
【０１２８】
内キャップ１０１Ｂは、弾力性及び止水性の高い樹脂製であり、蓋取付け部材１８の上端部において開口部１６を閉塞可能な平面視円形の円形上面１０３と、該円形上面１０３の底面から外周縁に沿って下向きに突出する平面視リング状のリング部１０４とで構成している。
【０１２９】
蓋取付け部材１８の上端部における外周部には、上記リング部５２と係止可能に切り欠いた係止溝１０５を形成している。
【０１３０】
このように構成した湯たんぽ１００Ｂは、図１４（ｂ）、（ｃ）に示すように、蓋取付け部材１８の上端部に内キャップ１０１Ｂを覆い、内キャップ１０１Ｂのリング部１０４を蓋取付け部材１８の係止溝４５に係止することで装着することができる。さらに、内キャップ１０１Ｂの外側から被せるようにして蓋取付け部材１８に対して蓋１７を螺着することができる。
【０１３１】
このように、湯たんぽ１００Ｂは、蓋１７と蓋取付け部材１８との螺着による開口部１６の封止と、蓋取付け部材１８の上端部に嵌着させた内キャップ１０１Ｂによる開口部１６の封止とによる二重の液漏れ防止効果を得ることができる。
【０１３２】
（第１０実施形態）  
第１０実施形態における湯たんぽ１００Ｃは、図１５に示すように、湯たんぽ本体１１の上部に蓋取付け部材１８の代わりに備えた逆円錐台開口９０と、逆円錐台開口９０に挿着する止水構造としての挿着栓８０と、逆円錐台開口９０の締め付けを補助する補強用止水構造としての補助バンド９３とを備えて構成している。
【０１３３】
逆円錐台開口９０は、外周面９０ａに円周状の係止溝９２を備えるとともに、切り欠き９１を対向する２箇所に備えている。
【０１３４】
切り欠き９１は、上端部から下方へ逆三角形状に切り欠いて形成している。なお、逆円錐台開口９０は切り欠き９１により径内側に変形可能に構成している。
【０１３５】
係止溝９２は、逆円錐台開口９０の外周面９０ａに沿って後述する補助バンド９３の係止を許容する略半円断面の溝であり、逆円錐台開口９０の高さ方向に略等間隔で３箇所備えている。
【０１３６】
補助バンド９３は、弾力性の高い平面視リング状に形成し、いずれかの係止溝９２に係止可能に形成している。  
なお、補助バンド９３、及び、係止溝９２は、止水構造としての挿着栓８０を補強する補強用止水構造としてで構成している。
【０１３７】
挿着栓８０は、逆円錐台開口９０に挿着可能に弾力性、変形性及び止水性の高いゴム製の封止栓である。
【０１３８】
このように構成した湯たんぽ１００Ｃは、図１５（ｂ）に示すように、逆円錐台開口９０の上方から挿着栓８０を挿着する。そして、この状態で、補助バンド９３を係止溝９２に係止させる。
【０１３９】
上記構成により、挿着栓８０の開口部１６の封止に加え、この係止溝９２への補助バンド９３の係止により、逆円錐台開口９０は、補助バンド９３の弾力性により切り欠き９１が閉じる方向に変形し、挿着栓８０の外周面との密着性を向上させることができ、液漏れをより一層、防止することができる。
【０１４０】
（第１１実施形態）  
第１１実施形態における湯たんぽ７０は、図１６に示すような靴型の形状で構成している。  
なお、図１６は、上記湯たんぽ７０の中央縦断面図である。
【０１４１】
湯たんぽ７０は、足の甲部の上側部分を足首部分から足先部分にかけて覆う柔軟シート体１２で形成した貯水部７５と、底部から踵部分、さらに足首分部にかけて覆う柔軟なクッションシート材７６とを備え、全体を断熱シート７７により被覆し、内部に足を挿入可能な足挿入許容部８５を有した靴型形状で形成している。
【０１４２】
湯たんぽ７０の靴底部分の裏面には、ゴム製の靴底部材７８を固着している。また、クッションシート材７６は、足首部分全体を覆うように足首部分外周に配している。
【０１４３】
貯水部７５は、柔軟性シート体１２により柔軟性、且つ、伸縮性を有して形成し、該貯水部７５の上方部分に開口部１６を形成し、蓋取付け部材１８、及び、蓋１７を備えている。
【０１４４】
さらに、湯たんぽ７０には、履いた状態において万が一にも脱げないように、甲部分に配して締結可能な締結ベルト７９を備えている。  
締結ベルト７９は、該締結ベルト７９に固着した一対の面ファスナ７１ａ，７１ｂ同士の係合位置を変更することで締め付け具合を調節することができる。
【０１４５】
上記構成の靴型の形状の湯たんぽ７０を履くと柔軟な貯水部７５が足の甲部分のラインに沿ってフィットし、足を効果的に暖めることができる。
【０１４６】
さらに、湯たんぽ７０を履いたとき、足首部分の外周側に配したクッションシート材７６が足首部分にフィットするため、歩行時に足が足挿入許容部８５から抜けることなくしっかりと保持することができる。さらにまた、足首部分にフィットすることで足挿入許容部８５と外部との空気の流れを遮ることができるため、足挿入許容部８５の保温効果を高めることができる。
【０１４７】
加えて、湯たんぽ７０は、柔軟性、且つ、伸縮性を有した貯水部７５を有しているため、意図的に足挿入許容部８５から足を挿脱する際には、締結ベルト７９を解除して容易に挿脱することができる。
【０１４８】
湯たんぽ７０は、柔軟であるが靴底部材７８により、歩行時に型崩れせず、優れた装着感を維持することができる。
【０１４９】
さらに、湯たんぽ７０を履いた状態で甲部分を締結ベルト７９で締結することにより、貯水部７５は、柔軟であるが、甲部分にしっかりとフィットさせることができ、該甲部分を効果的に温めることができる。さらに、柔軟な貯水部７５が甲部分に配されていても、歩行時に湯たんぽ７０が脱げることなくしっかりと履いた状態を維持することができる。
【０１５０】
このように、湯たんぽ７０には、締結ベルト７９に限らず、他の構成の締結手段を備えてもよい。  
湯たんぽ７０は、貯水部７５を甲部分に限らず、足の外周全体に備えてもよく、また、底面部分や踵部分など他の部分に備えてもよい。  
また、このように、湯たんぽは、手に着用するものに限らず、足に着用することができ、さらに、首など他の人体部位に着用可能に構成してもよい。
【０１５１】
上述した実施形態と、この発明の構成との対応において、
貯水部１４，７５は、貯液部に対応し、
手挿入許容部１３、又は、足挿入許容部８５は、人体挿入許容部に対応し、
は、湯たんぽ保持用治具に対応し、
上端止水部５４、又は、環状パッキン６７は、止液構造に対応し、
下端止水部５５、又は、鍔状パッキン６２は、補強用止液構造に対応するものとする。
【符号の説明】
【０１５２】
１０，２０，３０，３０Ａ，４０，５０，６０，６０Ａ，７０…湯たんぽ
１１…湯たんぽ本体
１２…柔軟性シート体
１３…手挿入許容部
１４，７５…貯水部
１６…開口部
１７…蓋
１９…閉ループ状握持部
２９…棒状握持部
２９Ａ，２９Ｂ，２９Ｃ…握持部
３５…湯たんぽ係止治具
３５Ａ…湯たんぽ保持用治具
４５…湯たんぽ取付け部材
５４…上端止水部
５５…下端止水部
６２…鍔状パッキン
６７…環状パッキン
８５…足挿入許容部
【図１】
2010252971.tif 000003
【図２】
2010252971.tif 000004
【図３】
2010252971.tif 000005
【図４】
2010252971.tif 000006
【図５】
2010252971.tif 000007
【図６】
2010252971.tif 000008
【図７】
2010252971.tif 000009
【図８】
2010252971.tif 000010
【図９】
2010252971.tif 000011
【図１０】
2010252971.tif 000012
【図１１】
2010252971.tif 000013
【図１２】
2010252971.tif 000014
【図１３】
2010252971.tif 000015
【図１４】
2010252971.tif 000016
【図１５】
2010252971.tif 000017
【図１６】
2010252971.tif 000018